(57)【要約】【課題】音漏れが小さく、組み立てが容易な粒子伝導型の音声出力装置を提供する。【解決手段】磁気回路部３内に設けられ、入力される駆動電流に基づいて振動するボイスコイル２と、当該ボイスコイル２に固定される振動板４と、を有するスピーカ部１を備え、ボイスコイル２の振動が振動板４に伝達されることにより音声が出力される粒子伝導型の音声出力装置１００において、スピーカ部１は、磁気回路部３を収納するとともに、振動板４の二つの対向する端部４２，４２を各々固定するフレーム６と、振動板４の二つの対向する端部４２，４２が互いに近づく方向にフレーム６を撓ませた状態で、当該フレーム６の付勢力により当該フレーム６を保持するキャップ７と、を備えるよう構成した。【選択図】図３
2006333029.tif 000002
【特許請求の範囲】
【請求項１】
磁気回路部内に設けられ、入力される駆動電流に基づいて振動するボイスコイルと、当該ボイスコイルに固定される振動板と、を有するスピーカ部を備え、前記ボイスコイルの振動が前記振動板に伝達されることにより音声が出力される粒子伝導型の音声出力装置において、
前記スピーカ部は、
前記磁気回路部を収納するとともに、前記振動板の二つの対向する端部を各々固定するフレームと、
前記振動板の二つの対向する端部が互いに近づく方向に前記フレームを撓ませた状態で、当該フレームの付勢力により当該フレームを保持するキャップと、
を備え、
前記振動板の前記端部は、弾性部材から成る支持部を介して前記フレームに固定されており、
前記フレームは、略曲面形状を成しており、
前記フレームの凹部側の面に、前記磁気回路部及び前記振動板が固定されており、
前記キャップは、前記フレームの前記凹部側の開口を覆っており、
前記スピーカ部を直接或いは耳装着部材を介して耳に装着可能に構成したことを特徴とする粒子伝導型の音声出力装置。
【請求項２】
磁気回路部内に設けられ、入力される駆動電流に基づいて振動するボイスコイルと、当該ボイスコイルに固定される振動板と、を有するスピーカ部を備え、前記ボイスコイルの振動が前記振動板に伝達されることにより音声が出力される粒子伝導型の音声出力装置において、
前記スピーカ部は、
前記磁気回路部を収納するとともに、前記振動板の二つの対向する端部を各々固定するフレームと、
前記振動板の二つの対向する端部が互いに近づく方向に前記フレームを撓ませた状態で、当該フレームの付勢力により当該フレームを保持するキャップと、
を備えることを特徴とする粒子伝導型の音声出力装置。
【請求項３】
請求項２に記載の粒子伝導型の音声出力装置において、
前記スピーカ部を直接或いは耳装着部材を介して耳に装着可能に構成したことを特徴とする粒子伝導型の音声出力装置。
【請求項４】
請求項２又は３に記載の粒子伝導型の音声出力装置において、
前記振動板の前記端部は、弾性部材から成る支持部を介して前記フレームに固定されていることを特徴とする粒子伝導型の音声出力装置。
【請求項５】
請求項２〜４の何れか一項に記載の粒子伝導型の音声出力装置において、
前記フレームは、略曲面形状を成しており、
前記フレームの凹部側の面に、前記磁気回路部及び前記振動板が固定されており、
前記キャップは、前記フレームの前記凹部側の開口を覆っていることを特徴とする粒子伝導型の音声出力装置。
【発明の詳細な説明】
【技術分野】
【０００１】
本発明は、粒子伝導型の音声出力装置に関する。
【背景技術】
【０００２】
従来、ボイスコイルが往復運動することによって生成された振動を、空気に伝達させることによって音声を出力する音声出力装置（例えば、特許文献１参照）、骨に伝達させることによって音声を出力する音声出力装置（例えば、特許文献２参照）、振動板に伝達させることによって音声を出力する粒子伝導型の音声出力装置（例えば、特許文献３，４参照）などが知られている。
【特許文献１】特開２００４−１４０４２２号公報
【特許文献２】特開２００３−３２７６８号公報
【特許文献３】特開２００４−１２０５１７号公報
【特許文献４】特開２０００−３５０２８５号公報
【発明の開示】
【発明が解決しようとする課題】
【０００３】
ところで、特許文献１に記載のような音声出力装置は、伝達媒体が空気であるため、出力される音声の指向性が、特許文献３，４に記載のような粒子伝導型の音声出力装置と比較して低い。したがって、例えば、特許文献１に記載のような音声出力装置を、イヤホンやヘッドホンなどの耳装着型音声出力装置に利用した場合、音漏れが大きくなるという問題がある。
【０００４】
一方、特許文献３，４に記載のような粒子伝導型の音声出力装置では、振動板にストレスを負荷し、その状態のまま、当該振動板をボイスコイルに固定しなければならず、組み立てが煩雑であるという問題がある。
【０００５】
本発明の課題は、音漏れが小さく、組み立てが容易な粒子伝導型の音声出力装置を提供することにある。
【課題を解決するための手段】
【０００６】
上記課題を解決するために、請求項１に記載の発明は、磁気回路部内に設けられ、入力される駆動電流に基づいて振動するボイスコイルと、当該ボイスコイルに固定される振動板と、を有するスピーカ部を備え、前記ボイスコイルの振動が前記振動板に伝達されることにより音声が出力される粒子伝導型の音声出力装置において、前記スピーカ部は、前記磁気回路部を収納するとともに、前記振動板の二つの対向する端部を各々固定するフレームと、前記振動板の二つの対向する端部が互いに近づく方向に前記フレームを撓ませた状態で、当該フレームの付勢力により当該フレームを保持するキャップと、を備え、前記振動板の前記端部は、弾性部材から成る支持部を介して前記フレームに固定されており、前記フレームは、略曲面形状を成しており、前記フレームの凹部側の面に、前記磁気回路部及び前記振動板が固定されており、前記キャップは、前記フレームの前記凹部側の開口を覆っており、前記スピーカ部を直接或いは耳装着部材を介して耳に装着可能に構成したことを特徴とする。
【０００７】
請求項２に記載の発明は、磁気回路部内に設けられ、入力される駆動電流に基づいて振動するボイスコイルと、当該ボイスコイルに固定される振動板と、を有するスピーカ部を備え、前記ボイスコイルの振動が前記振動板に伝達されることにより音声が出力される粒子伝導型の音声出力装置において、前記スピーカ部は、前記磁気回路部を収納するとともに、前記振動板の二つの対向する端部を各々固定するフレームと、前記振動板の二つの対
向する端部が互いに近づく方向に前記フレームを撓ませた状態で、当該フレームの付勢力により当該フレームを保持するキャップと、を備えることを特徴とする。
【０００８】
請求項３に記載の発明は、請求項２に記載の粒子伝導型の音声出力装置において、前記スピーカ部を直接或いは耳装着部材を介して耳に装着可能に構成したことを特徴とする。
【０００９】
請求項４に記載の発明は、請求項２又は３に記載の粒子伝導型の音声出力装置において、前記振動板の前記端部は、弾性部材から成る支持部を介して前記フレームに固定されていることを特徴とする。
【００１０】
請求項５に記載の発明は、請求項２〜４の何れか一項に記載の粒子伝導型の音声出力装置において、前記フレームは、略曲面形状を成しており、前記フレームの凹部側の面に、前記磁気回路部及び前記振動板が固定されており、前記キャップは、前記フレームの前記凹部側の開口を覆っていることを特徴とする。
【発明の効果】
【００１１】
請求項１に記載の発明によれば、スピーカ部に備えられたフレームによって、磁気回路部を収納するとともに、振動板の二つの対向する端部を各々固定することができ、スピーカ部に備えられたキャップによって、振動板の二つの対向する端部が互いに近づく方向にフレームを撓ませた状態で、当該フレームの付勢力により当該フレームを保持することができる。すなわち、フレームを撓ませるだけで、振動板にストレスを負荷することができ、キャップによって、振動板にストレスが負荷された状態を保持することができる。したがって、振動板をボイスコイルに固定してから、振動板にストレスを負荷することができるため、容易に組み立てることができる。また、伝達媒体が振動板（固体）であるため、出力される音声の指向性が高く、音漏れを小さくすることができる。
【００１２】
また、振動板の端部が、弾性部材から成る支持部を介してフレームに固定されているため、ボイスコイルの振動を、振動板のみに伝達することができる。すなわち、フレームやキャップなどに、ボイスコイルの振動が伝達されることを防止することができる。したがって、耳に装着して使用した状態において、耳にボイスコイルの振動が伝達されず、使い心地がよい。
【００１３】
また、フレームの凹部側の面に、磁気回路部及び振動板が固定され、キャップが、フレームの凹部側の開口を覆っているため、外見をすっきりとさせることができる。
【００１４】
また、スピーカ部を直接或いは耳装着部材を介して耳に装着可能に構成したため、例えば、イヤホンやヘッドホンなどの耳装着型音声出力装置に利用することができることとなって、出力される音声の指向性が高く音漏れを小さくすることができるという粒子伝導型の音声出力装置の特徴を十分に発揮させることができる。
【００１５】
請求項２に記載の発明によれば、スピーカ部に備えられたフレームによって、磁気回路部を収納するとともに、振動板の二つの対向する端部を各々固定することができ、スピーカ部に備えられたキャップによって、振動板の二つの対向する端部が互いに近づく方向にフレームを撓ませた状態で、当該フレームの付勢力により当該フレームを保持することができる。すなわち、フレームを撓ませるだけで、振動板にストレスを負荷することができ、キャップによって、振動板にストレスが負荷された状態を保持することができる。したがって、振動板をボイスコイルに固定してから、振動板にストレスを負荷することができるため、容易に組み立てることができる。また、伝達媒体が振動板（固体）であるため、出力される音声の指向性が高く、音漏れを小さくすることができる。
【００１６】
請求項３に記載の発明によれば、請求項２に記載の発明と同様の効果が得られることは無論のこと、スピーカ部を直接或いは耳装着部材を介して耳に装着可能に構成したため、例えば、イヤホンやヘッドホンなどの耳装着型音声出力装置に利用することができること
となって、出力される音声の指向性が高く音漏れを小さくすることができるという粒子伝導型の音声出力装置の特徴を十分に発揮させることができる。
【００１７】
請求項４に記載の発明によれば、請求項２又は３に記載の発明と同様の効果が得られることは無論のこと、振動板の端部が、弾性部材から成る支持部を介してフレームに固定されているため、ボイスコイルの振動を、振動板のみに伝達することができる。すなわち、フレームやキャップなどに、ボイスコイルの振動が伝達されることを防止することができる。したがって、耳に装着して使用した状態において、耳にボイスコイルの振動が伝達されず、使い心地がよい。
【００１８】
請求項５に記載の発明によれば、請求項２〜４の何れか一項に記載の発明と同様の効果が得られることは無論のこと、フレームの凹部側の面に、磁気回路部及び振動板が固定され、キャップが、フレームの凹部側の開口を覆っているため、外見をすっきりとさせることができる。
【発明を実施するための最良の形態】
【００１９】
以下、図を参照して、本発明にかかる粒子伝導型の音声出力装置の最良の形態を詳細に説明する。なお、発明の範囲は、図示例に限定されない。
[粒子伝導型の音声出力装置]
粒子伝導型の音声出力装置１００は、スピーカ部１などを備えて構成される。粒子伝導型の音声出力装置１００は、いわゆる、図１に示すようなイヤホン１００ａや、図２に示すようなヘッドホン１００ｂなどである。
【００２０】
具体的には、イヤホン１００ａは、スピーカ部１を、直接、耳に装着可能に構成したものである。
【００２１】
また、ヘッドホン１００ｂは、スピーカ部１を、耳装着部材Ｂを介して、耳に装着可能に構成したものである。
＜スピーカ部の構成＞
まず、粒子伝導型の音声出力装置１００に備えられたスピーカ部１の構成について、図３、図４及び図５を参照して説明する。
【００２２】
スピーカ部１は、例えば、図３に示すように、磁気回路部３内に設けられ、入力される駆動電流に基づいて振動するボイスコイル２と、ボイスコイル２に固定される振動板４と、振動板４を支持する支持部５と、磁気回路部３を収納するとともに、振動板４を支持部５を介して固定するフレーム６と、フレーム６の開口６ａを覆うキャップ７と、などを備えて構成される。
【００２３】
具体的には、スピーカ部１からは、ボイスコイル２の振動が振動板４に伝達されることによって、音声が出力される。
【００２４】
ボイスコイル２は、アンプ（図示省略）から入力される駆動電流に基づいて、軸方向の往復運動を繰り返すことによって、振動を生成する。
【００２５】
具体的には、ボイスコイル２は、例えば、図３に示すように、円筒形状に成形したボビン２１の周囲に、導線２２を螺旋状に巻回させることによって形成される。
【００２６】
ボビン２１は、例えば、略長方形状の板状部材の長手方向の両端部を接合することによって円筒形状に成形される。したがって、ボビン２１の軸方向両端には、開口部２１ａ，２１ｂが設けられている。
【００２７】
ボビン２１を形成する材料としては、非磁性材料であれば制限はなく、例えば、ポリエ
チレン・テレフタレートフィルム、ポリイミドフィルム、ポリカーボネートフィルム、ナイロンフィルムなどの各種フィルムなどを用いることができる。
【００２８】
導線２２は、例えば、ボビン２１の一方の開口部２１ａ端から所定位置に亘って、ボビン２１の軸方向と略直行する方向に規則正しく螺旋状に巻回される。なお、隣り合う導線２２同士の間隔や導線２２の巻回回数は自由に設定することができる。
【００２９】
導線２２としては、導電性を備える細線であれば制限はなく、例えば、エナメルなどの絶縁被膜付きの銅線（エナメル線など）などを用いることができる。
【００３０】
磁気回路部３は、磁気回路（磁界）を形成する。
【００３１】
具体的には、磁気回路部３は、例えば、図３に示すように、ボイスコイル２によって周囲を略取り囲まれた永久磁石３１と、永久磁石３１の周囲を取り囲んだヨーク３２と、などにより構成される。
【００３２】
永久磁石３１は、ボイスコイル２の導線２２の巻回方向と略直交する方向（軸方向）に起立しており、導線２２が巻回された側の開口部２１ａに挿入されることによって、ボイスコイル２に略取り囲まれた状態となる。永久磁石３１は、円柱形状を成しており、その直径は、ボビン２１の内径よりも僅かに小さく、永久磁石３１がボイスコイル２によって取り囲まれた際に、ボビン２１の内壁面と永久磁石３の側面とが互いに接しない程度の長さになっている。永久磁石３１は、Ｓ極とＮ極を有し、例えば、Ｓ極を構成する一方の端部３１ｂは、ボイスコイル２によって取り囲まれ、Ｎ極を構成する他方の端部３１ａは、開口部２１ａより外側に露出し、ヨーク３２に固定されている。
【００３３】
永久磁石３１としては、例えば、アルニコ磁石などの合金磁石や、フェライト磁石、サマリウム・コバルト磁石などの希土類磁石などを用いることができる。
【００３４】
ヨーク３２は、永久磁石３１が作り出す反磁場による影響を抑えて、永久磁石３１の吸着力を増幅させる。
【００３５】
ヨーク３２は、例えば、円盤形状の平板部３２１と、平板部３２１の円周に連続的に起立する側壁部３２２とによって、一体的に（或いは、別体を接合したものでもよい）形成されたものである。平板部３２１の側壁部３２２が起立する側の平面３２１ｂの略中央には、平面３２１ｂと永久磁石３１の端部３１ａの端面とが当接するように、永久磁石３１が固着されている。平板部３２１の直径は、平板部３２１の円周に連続的に設けられた側壁部３２２の内壁面と、平板部３２１の略中央に固着された永久磁石３１を取り囲むボイスコイル２とが、接しない程度の長さになっている。
【００３６】
ヨーク３２を形成する材料としては、軟磁性材料であれば制限はなく、例えば、鉄や、鈍鉄、ケイ素鉄、アモルファスなどを用いることができる。
【００３７】
振動板４は、例えば、図４（ａ）及び図５（ａ）に示すように、略長方形状の板状部材から形成される。振動板４は、ボイスコイル２の軸方向に直交するように配されており、振動板４の一方の面４ａは、ボイスコイル２の開口部２１ｂ側の端面と固着されている。また、振動板４の長手方向の二つの端部４２，４２は、支持部５，５を介して、フレーム６に固定されている。
【００３８】
そして、振動板４は、例えば、図４（ｂ）及び図５（ｂ）に示すように、振動板４の二つの対向する端部４２，４２が互いに近づく方向に、フレーム６を撓ませることによって、長手方向に湾曲され、ストレスが負荷された状態になる。
【００３９】
振動板４を形成する材料としては、例えば、木材や紙材、金属、樹脂などの適宜好適な
材料を用いることができる。
【００４０】
具体的には、木材としては、例えば、マホガニー、ローズウッド、エボニー、樫、楢、楓、チーク、松、桐、バルサ材などの各種木材を用いることができる。
【００４１】
紙材としては、例えば、ケント紙、画用紙、厚紙（ボール紙）、ダンボール紙などの各種紙材を用いることができる。
【００４２】
金属としては、例えば、アルミニウム、銅、ステンレスなどの各種金属を用いることができる。
【００４３】
樹脂としては、熱硬化性樹脂と熱可塑性樹脂の何れをも用いることができ、例えば、ポリエステル樹脂、ポリエチレン樹脂、エポキシ樹脂、アクリロニトリル・ブタジエン・スチレン樹脂（ＡＢＳ樹脂）などの各種樹脂を用いることができる。
【００４４】
なお、振動板４は、一種類の材料から形成されていてもよいし、複数種類の材料から形成されていてもよい。また、振動板４は、一枚の板状部材から形成されていてもよいし、複数枚の板状部材を貼り合せて形成されていてもよい。
【００４５】
支持部５は、例えば、図３に示すように、フレーム６に固定されており、振動板４の長手方向の端部４２を支持している。支持部５は、例えば、弾性部材から形成されている。
【００４６】
支持部５を形成する弾性部材としては、例えば、ゴムなどを用いることができる。
【００４７】
フレーム６は、略曲面形状を成しており、凹部６ｂ側に、ボイスコイル２や磁気回路部３、振動板４などを収納している。
【００４８】
具体的には、例えば、図３に示すように、フレーム６の底部６１は略平面であり、底部６１の凹部６ｂ側の面６１ｂには、ヨーク３２の平板部３２１の側壁部３２２が起立しない側の平面３２１ａが当接するように、磁気回路部３が固定されている。また、フレーム６の曲面部６２の凹部６ｂ側の面（内壁面６２ｂ）には、支持部５が固定されている。
【００４９】
より具体的には、例えば、フレーム６の曲面部６２を撓ませる前の状態（図４（ａ）及び図５（ａ））において、フレーム６の凹部６ｂ側の開口６ａの形状は、楕円を成している。そして、フレーム６の内壁面６２ｂにおける、当該楕円の長軸と支持部５を介してフレーム６に固定された振動板４の長手方向とが略平行になるような位置に、支持部５が固定されている。
【００５０】
フレーム６を形成する材料としては、例えば、木材や金属、樹脂などの適宜好適な材料を用いることができる。
【００５１】
具体的には、例えば、振動板４で例示した各種木材、各種金属、各種樹脂、その他の適宜好適な材料を用いることができる。
【００５２】
なお、フレーム６を形成する材料は、フレーム６の曲面部６２を撓ませた状態（図３）において付勢力が働くような、適度な剛性を備え、且つ、振動板４の二つの対向する端部４２，４２が互いに近づく方向にフレーム６を撓ませることができるように、振動板４よりも高い剛性を備えることが好ましい。
【００５３】
キャップ７は、粒子伝導型の音声出力装置１００を耳に装着した際において、耳に当接する部分である。キャップ７は、例えば、図３に示すように、フレーム６の凹部６ｂ側の開口６ａを覆っている。
【００５４】
具体的には、キャップ７は、例えば、略円盤形状の平板部７１と、平板部７１の円周に連続的に起立する側壁部７２とによって、一体的に（或いは、別体を接合したものでもよい）形成されたものである。キャップ７は、キャップ７の側壁部７２の内壁面と、撓ませた状態のフレーム６の曲面部６２の外壁面６２ａとが当接するように、フレーム６の凹部６ｂ側の開口６ａを覆っている。ここで、キャップ７の側壁部７２の内壁面に、フレーム６の曲面部６２の外壁面６２ａが、フレーム６を撓ませることによって発生するフレーム６の付勢力によって係止されている。すなわち、キャップ７は、フレーム６の付勢力によ
り、フレーム６を撓ませた状態で保持している。
【００５５】
平板部７１の直径は、キャップ７がフレーム６の開口６ａを覆っている状態（図３）において、ボイスコイル２の位置が、当該ボイスコイル２の可動範囲の略中立位置になるよう、設定されている。
【００５６】
平板部７１の中央部７１１は、ボイスコイル２の振動が振動板４に伝達されることにより出力される音声が、効率よく耳に届くような形状、すなわち、例えば、複数の貫通孔を有する形状や、図１及び図２に示すような網目形状などを成している。
【００５７】
キャップ７を形成する材料としては、例えば、木材や金属、樹脂などの適宜好適な材料を用いることができる。
【００５８】
具体的には、例えば、振動板４で例示した各種木材、各種金属、各種樹脂、その他の適宜好適な材料を用いることができる。
【００５９】
なお、側壁部７２と平板部７１の円周部７１２とを形成する材料は、フレーム６の付勢力によって、フレーム６を撓ませた状態で保持することができるように、フレーム６よりも高い剛性を備えることが好ましい。
【００６０】
また、平板部７１の中央部７１１を形成する材料は、平板部７１の円周部７１２を形成する材料と、同一であっても、異なっていてもよい。
＜スピーカ部の組み立て方法＞
次に、スピーカ部１の組み立て方法について、図４及び図５を参照して説明する。
【００６１】
まず、図５（ａ）に示すように、ボイスコイル２や磁気回路部３、振動板４などを、フレーム６の凹部６ｂ側の所定位置に配置する。このとき、振動板４は、例えば、図４（ａ）に示すように、楕円形状を成すフレーム６の開口６ａの長軸と振動板４の長手方向とが略平行となるように、支持部５を介してフレーム６に固定されている。また、振動板４の形状は、例えば、図５（ａ）に示すように、略平面を成しており、振動板４には、ストレスが負荷されていない。
【００６２】
次に、図５（ｂ）に示すように、振動板４の二つの対向する端部４２，４２が互いに近づく方向に、フレーム６を撓ませる。具体的には、楕円形状を成すフレーム６の開口６ａの長軸方向内側に、フレーム６の曲面部６２を撓ませて、例えば、図４（ｂ）に示すように、フレーム６の開口６ａを略円形状にする。このとき、振動板４の形状は、例えば、図５（ｂ）に示すように、フレーム６の開口６ａ側に湾曲しており、振動板４には、ストレスが負荷されている。
【００６３】
次に、図５（ｃ）に示すように、キャップ７によって、フレーム６を撓ませた状態で、フレーム６の開口６ａを覆い、キャップ７の側壁部７２の内壁面に、フレーム６の曲面部６２の外壁面６２ａを、フレーム６を撓ませることによって発生するフレーム６の付勢力によって係止させ、これにより、フレーム６の撓んだ状態を保持する。
[音声出力機構]
次に、粒子伝導型の音声出力装置１００における、スピーカ１による音声出力機構について説明する。
【００６４】
磁気回路部３の永久磁石３１及びヨーク３２によって、磁気回路（磁界）が形成される。
【００６５】
具体的には、ヨーク３２の側壁部３２２が取り囲む領域に、永久磁石３１により生成され、ヨーク３２により導かれた磁束によって、強い磁場が発生する。したがって、磁気回路部３内に設けられたボイスコイル２は、強い磁場の中に配置されていることとなる。
【００６６】
ボイスコイル２と永久磁石３１とヨーク３２とが、図３に示すように配置され、アンプ
（図示省略）からボイスコイル２に駆動電流が入力されることによって、永久磁石３１による磁界と、導線２２を流れる電流との間に電磁力が生じる。そして、駆動電流に基づく電磁力がボイスコイル２に作用することによって、ボイスコイル２は、軸方向の往復運動を繰り返して、振動を生成する。
【００６７】
ボイスコイル２に固定された振動板４の形状は、フレーム６を撓ませることによって、フレーム６の開口６ａ方向に湾曲している。すなわち、フレーム６を撓ませることによって、振動板４は、ストレスが負荷された状態となる。このストレスが負荷された状態の振動板４に、駆動電流に基づくボイスコイル２の振動が伝達されることによって音声が出力される。具体的には、振動板４を構成する分子の粒子を、ストレスを負荷した状態で、ボイスコイル２で生成された振動により揺り動かすことによって音声が出力される。
【００６８】
以上説明した本発明の粒子伝導型の音声出力装置１００によれば、スピーカ部１に備えられたフレーム６によって、磁気回路部３を収納するとともに、振動板４の二つの対向する端部４２，４２を各々固定することができ、スピーカ部１に備えられたキャップ７によって、振動板４の二つの対向する端部４２，４２が互いに近づく方向にフレーム６を撓ませた状態で、当該フレーム６の付勢力により当該フレーム６を保持することができる。すなわち、フレーム６を撓ませるだけで、振動板４にストレスを負荷することができ、キャップ７によって、振動板４にストレスが負荷された状態を保持することができる。したがって、振動板４をボイスコイル２に固定してから、振動板４にストレスを負荷することができるため、容易に組み立てることができる。また、伝達媒体が振動板４（固体）であるため、出力される音声の指向性が高く、音漏れを小さくすることができる。
【００６９】
また、振動板４の端部４２が、弾性部材から成る支持部５を介してフレーム６に固定されているため、ボイスコイル２の振動を、振動板４のみに伝達することができる。すなわち、フレーム６やキャップ７などに、ボイスコイル２の振動が伝達されることを防止することができる。したがって、耳に装着して使用した状態において、耳にボイスコイル２の振動が伝達されず、使い心地がよい。
【００７０】
また、フレーム６は、略曲面形状を成しており、フレーム６の凹部６ｂ側の面に、磁気回路部３及び振動板４が固定され、キャップ７が、フレーム６の凹部６ｂ側の開口６ａを覆っているため、外見をすっきりとさせることができる。
【００７１】
また、スピーカ部１を直接或いは耳装着部材Ｂを介して耳に装着可能に構成したため、例えば、イヤホン１００ａやヘッドホン１００ｂなどの耳装着型音声出力装置に利用することができることとなって、出力される音声の指向性が高く音漏れを小さくすることができるという粒子伝導型の音声出力装置１００の特徴を十分に発揮させることができる。
【００７２】
なお、本発明は、上記した実施の形態のものに限るものではなく、その要旨を逸脱しない範囲で適宜変更可能である。
【００７３】
粒子伝導型の音声出力装置１００は、スピーカ部１を備えていれば、イヤホン１００ａ（図１）やヘッドホン１００ｂ（図２）の限りではなく、例えば、ヘッドホン１００ｂとマイクとを一体的に構成したヘッドセットなどでもよい。
【００７４】
また、耳に装着した際に、耳に当接する箇所（例えば、キャップ７の円周部７１２や側壁部７２）を、クッション材で覆うなどして、使い心地を更に向上させるようにしてもよい。
【００７５】
また、粒子伝導型の音声出力装置１００は、耳装着型音声出力装置に限らず、大きさや用途は任意である。
【００７６】
本発明の粒子伝導型の音声出力装置１００から出力される音声は、指向性が高く、周囲に雑音があっても聞き取りやすいという特徴がある。したがって、粒子伝導型の音声出力装置１００を周囲に雑音がある状況で使用すると、すなわち、例えば、乗り物用、通信用、家電用、携帯音楽用、街頭音声アナウンス用、業務機器用、娯楽施設用、店舗用、遊技機器用として使用すると、粒子伝導型の音声出力装置１００の特徴を十分に発揮することができる。
【００７７】
具体的には、乗り物用としては、例えば、車内（ドアやダッシュボード、トランク、シート下など）取り付け用、車外取り付け用、カーコンポ用、ナビゲーション用、交通機関（電車や飛行機、船舶など）内のアナウンス用、駅のホームや待合室でのアナウンス用などが挙げられる。
【００７８】
通信用としては、例えば、室内電話機用、携帯電話機用、トランシーバ用、各種無線機器用などが挙げられる。
【００７９】
家電用としては、例えば、モニター用、インターホン用、洗濯機用、乾燥機用、冷蔵庫用、ＩＨクッキングヒータ用、オーブンレンジ用、掃除機用、給湯器用、トイレ洗浄機用、空気清浄機用、ファンヒータ用、扇風機用、エアコン用、加湿器用、リモコン用などが挙げられる。
【００８０】
携帯音楽用としては、例えば、ラジカセ用、ヘッドフォンオーディオ（テープ型やＣＤ型、フラッシュメモリ型、ＨＤＤ型のヘッドフォンオーディオなど）用、ポータブルＡＶ機器用、ノートパソコン用などが挙げられる。
【００８１】
街頭音声アナウンス用としては、例えば、金融機関キャッシュディスペンサー用、入場制限システム（マンションやビルのセキュリティーシステムなど）用、交通機関の券売機（乗車券や搭乗券、乗船券などの販売機）用、自動販売機用、駐車場アナウンス用、信号機用、拡声器用などが挙げられる。
【００８２】
業務機器用としては、例えば、医療機器用、補聴器用、コピー機用、測定器用、電動工具用、工場設備機器用、フォークリフト用などが挙げられる。
【００８３】
娯楽施設用としては、例えば、映画館用、美術館用、動物園用、水族館用、劇場用、競技場（スポーツ施設や競馬場など）用、パチンコ館用、遊技場（ボーリング場など）用、展示場用などが挙げられる。
【００８４】
店舗用としては、例えば、デパート用、スーパーマーケット用、コンビニエンスストア用、量販店用、飲食店用、食堂用、市場用、販売店用、宿泊施設用などが挙げられる。
【００８５】
遊技機器用として、例えば、パチンコやスロットの台用、ロボット用、玩具用、ゲーム機用などが挙げられる。
【図面の簡単な説明】
【００８６】
【図１】粒子伝導型の音声出力装置としてのイヤホンを示す概略図である。
【図２】粒子伝導型の音声出力装置としてのヘッドホンを示す概略図である。
【図３】スピーカ部の概略断面図である。
【図４】フレームの撓ませ方法を説明するための図である。
【図５】スピーカ部の組み立て方法を説明するための図である。
【符号の説明】
【００８７】
１  スピーカ部
２  ボイスコイル
３  磁気回路部
４  振動板
４２  端部
５  支持部
６  フレーム
６ａ  開口
６ｂ  凹部
７  キャップ
１００  粒子伝導型の音声出力装置
１００ａ  イヤホン
１００ｂ  ヘッドホン
Ｂ  耳装着部材
【図１】
2006333029.tif 000003
【図２】
2006333029.tif 000004
【図３】
2006333029.tif 000005
【図４】
2006333029.tif 000006
【図５】
2006333029.tif 000007